(57)【要約】【課題】支軸とカラーとの間でがたつきを少なくしてそれらを滑らかに回転することができ、また、軽量化が図れ、しかも、カラーとハンドルノブとの間であらゆる方向のずれが生じにくく耐久性の面においても優れる魚釣用リールのハンドルを提供する。【解決手段】魚釣用リールのハンドルアーム１１の先端に取り付けられた支軸１２と、支軸１２の外周側に回転自在に取り付けられた筒状でかつ射出成形に作られたカラー１３と、カラーの外周に嵌着された弾性材からなるハンドルノブ１４と備える。カラーの軸線方向に区分けされた少なくとも一部の外周に、凹部が周方向に間隔をあけて複数形成されている。【選択図】図２
2011125269.tif 000002
【特許請求の範囲】
【請求項１】
魚釣用リールのハンドルアームの先端に取り付けられた支軸と、該支軸の外周側に回転自在に取り付けられた筒状でかつ射出成形に作られたカラーと、該カラーの外周に嵌着された弾性材からなるハンドルノブを備える魚釣用リールのハンドルにおいて、
前記カラーの軸線方向に区分けされた少なくとも一部の外周に、凹部が周方向に間隔をあけて複数形成されていることを特徴とする魚釣用リールのハンドル。
【請求項２】
前記カラーには、前記凹部を周方向に間隔をあけて複数形成された凹部群が、前記カラーの軸線方向に複数列形成されていることを特徴とする請求項１に記載の魚釣用リールのハンドル。
【請求項３】
周方向に隣接する前記凹部同士の間には板状の隔壁がそれぞれ形成され、
該板状の隔壁は前記カラーの中心から放射状に延びるように形成されていることを特徴とする請求項１または２に記載の魚釣用リールのハンドル。
【請求項４】
前記隔壁と該隔壁の外表面の周方向接線とのなす角度が略直角であることを特徴とする請求項３に記載の魚釣用リールのハンドル。
【請求項５】
周方向に隣接する前記凹部同士の間には板状の隔壁がそれぞれ形成され、
該板状の隔壁は互いに平行に延びて形成されていることを特徴とする請求項１または２に記載の魚釣用リールのハンドル。
【請求項６】
前記隔壁と該隔壁の外表面の周方向接線とのなす角度が鈍角であることを有することを特徴とする請求項５に記載の魚釣用リールのハンドル。
【請求項７】
前記凹部は開口側からみて多角形状であることを特徴とする請求項１または２に記載の魚釣用リールのハンドル。
【発明の詳細な説明】
【技術分野】
【０００１】
本発明は魚釣用リールのハンドルに関するものである。
【背景技術】
【０００２】
魚釣用リールのハンドルの一例として、例えば、下記特許文献１には、ハンドルアームの先端に支軸（軸）を取りつけ、支軸の外周側にカラーを回転自在に取り付け、カラーの外周にコルク材からなるハンドルノブを嵌着した構造が開示されている。
また、魚つり用リールのハンドルの他の例として、特許文献２には、ハンドルアームの先端に取り付けた支軸の外周側にカラー（筒状部）を回転自在に取り付け、カラーの外周に長手方向に延びる凸部を周方向に複数形成し、この凸部を利用し回り止めをした状態で、カラーの外周にハンドルノブ（把手部）を嵌着した構造が開示されている。
【先行技術文献】
【特許文献】
【０００３】
【特許文献１】特開平８―２４２７３０号公報
【特許文献２】特開２００８―５７９３号公報
【発明の概要】
【発明が解決しようとする課題】
【０００４】
特許文献１に記載された魚釣用リールのハンドルにあっては、弾性材（コルク材）からなるハンドルノブを用いているので、支軸に対し滑らかな回転を得るため、支軸とハンドルノブとの間にカラーを配設している。この場合、カラーは軽量化のため、通常、樹脂成形品が用いられるが、このカラーは肉厚の厚いものとならざるを得ない。
というのは、支軸は比較的大きな荷重がかかるため、その荷重に耐えうるよう金属材料で作られる。小型軽量化を要求される支軸にあっては、できるだけ小径にしなければならない。これに対応して、カラーの内径は小径となる。一方、カラーの外径は、弾性材からなるハンドルノブとの滑りを抑えるため、ハンドルノブとの接触面積をできるだけ広くとる必要性から、大径とならざるを得ない。このようにカラーは、内径が小さくかつ外径が大きいため、肉厚の厚いものとならざるを得ないのである。
【０００５】
カラーは、肉厚が厚くなると、それ自体が樹脂の射出成形品であるため、成形後に常温まで下がるのに伴い熱収縮が起こり、外径が小さな値へまた内径が大きな値へそれぞれ大きく変化する。また、カラー成形品間の寸法のばらつきも大きくなる。カラーの外径が小さくなると、ハンドルノブとの嵌合が緩くなり、カラーとハンドルノブとの間で相対回転が生じ易くなる。一方、カラーの内径が大きくなると、支軸との間の隙間が大きくなり、円滑な回転が得られにくくなる。
つまり、特許文献１に記載された魚釣用リールのハンドルにあっては、カラーの肉厚が厚くなるのに起因して、ハンドルノブとの嵌合が緩くなるとともに、支軸に対し円滑な回転が得られにくくなるという課題があった。
【０００６】
また、特許文献２に記載された魚釣用リールのハンドルにあっては、ハンドルノブの開口を塞ぐため、開口にキャップ部材を押し当てその先端をカラーにねじ込むことが行われているが、このとき、ハンドルノブがキャップ部材とともに共回りするのを防ぐために、カラーの外周に長手方向に延びる凸部を周方向に複数形成している。この凸部によって、確かにハンドルノブとカラーとの回転方向の相対的なずれを防止できるものの、回転方向以外の相対的なずれを防止することはできない。特に、カラーの軸線方向へはずれ易く、この場合、カラーの外周面に形成した凸部によって、ハンドルノブの内面が軸線方向に切り裂かれることがあり、ハンドルノブの耐久性が低下するという問題があった。
【０００７】
本発明は、このような背景の下になされたもので、支軸とカラーとの間でがたつきを少なくしてそれらを滑らかに回転することができ、また、軽量化が図れ、しかも、カラーとハンドルノブとの間であらゆる方向のずれが生じにくく耐久性の面においても優れる魚釣用リールのハンドルを提供することを目的としている。
【課題を解決するための手段】
【０００８】
前記課題を解決して、このような目的を達成するために、本発明の魚釣用リールのハンドルは、魚釣用リールのハンドルアームの先端に取り付けられた支軸と、該支軸の外周側に回転自在に取り付けられた筒状でかつ射出成形に作られたカラーと、該カラーの外周に嵌着された弾性材からなるハンドルノブを備える魚釣用リールのハンドルにおいて、前記カラーの軸線方向に区分けされた少なくとも一部の外周に、凹部が周方向に間隔をあけて複数形成されていることを特徴とする。
【０００９】
本発明に係る魚釣用リールのハンドルによれば、カラーの外周に凹部を周方向に間隔をあけて複数形成しているので、凹部同士の間の隔壁がリブとして作用することとなり、強度を確保した上でカラーの肉厚を薄くできる。このため、カラーについて軽量化が図れる。また、肉厚を薄くすることで、成形後の熱収縮によるカラーの変形を抑えることができ、もってカラーの内径及び外径の寸法精度を確保できる。カラーの内径寸法の精度が向上することにより、支軸に対するカラーの回転性能が向上する。つまり、支軸とカラーとの間でがたつきが少なくそれらを滑らかに相対回転することができる。また、カラーの外径寸法の精度が向上することにより、ハンドルノブとカラーの嵌合が安定し、両者間にずれ（滑り）が発生しにくくなる。
また、同時に、弾性材からなるハンドルノブの内面のカラーとの接触部分の一部が、カラーの外周に形成した凹部に張り出して食い込むこととなり、この点においても、カラーの回転方向及び軸線方向双方において、ハンドルノブとカラーとの間にずれ（滑り）が発生しにくくなる。
【００１０】
前記カラーには、前記凹部を周方向に間隔をあけて複数形成された凹部群が、前記カラーの軸線方向に複数列形成されていることが好ましい。
この場合、凹部群が複数列形成されることに伴い、カラーのより軽量化が図れる。また、カラーの軸線方向に沿う他の部位についても肉厚を薄くすることができ、もって、成形後の熱収縮によるカラーの変形をより一層抑えることができる。
【００１１】
周方向に隣接する前記凹部同士の間には板状の隔壁がそれぞれ形成され、該板状の隔壁は前記カラーの中心から放射状に延びるように形成されていることが好ましい。
この場合、板状の隔壁を放射状に延びるように形成しているから、ハンドルノブの内周面に対して周方向へバランスよく接触することとなる。このため、ハンドルを回転操作する際に、ハンドルノブからカラー側へ周方向いずれの方向から回転力が付与される場合であっても、カラーに対して略同じ条件下で回転力を付与することができ、この点においてハンドルノブ及びカラーを支軸に対して滑らかに回転することができる。
【００１２】
前記隔壁と該隔壁の外表面の周方向接線とのなす角度が略直角であることが好ましい。
この場合、弾性材からなるハンドルノブの内面の一部が凹部内に張り出して食い込む際に、隔壁の角部はハンドルノブの内面に対して略直角の角度をもって食い込むこととなり、カラーとハンドルノブとの間の時計方向・反時計方向いずれの回転方向のずれも確実に防止できる。
【００１３】
周方向に隣接する前記凹部同士の間には板状の隔壁がそれぞれ形成され、該板状の隔壁は互いに平行に延びて形成されていることが好ましい。
この場合、隔壁を互い平行に延びて形成しているため、このカラーを射出成形により成形する際、２つ割構造の金型を用いることができ、金型の構成が簡単になる。
【００１４】
前記隔壁と該隔壁の外表面の周方向接線とのなす角度が鈍角であることを有することが好ましい。
この場合、弾性材からなるハンドルノブの内面の一部が凹部内に張り出して食い込む際に、隔壁の角部がハンドルノブの内面に対して鋭角をもって食い込むこととなり、カラーとハンドルノブの回転方向のずれをより確実に防止できる。
【００１５】
前記凹部は開口側からみて多角形状であることが好ましい。
この場合、弾性材からなるハンドルノブの内面の一部が凹部内に張り出して食い込む際に、ハンドルノブの内面の一部が角部を有して凹部に食い込むこととなり、カラーとハンドルノブのずれをより確実に防止できる。
【発明の効果】
【００１６】
以上説明したように、本発明によれば、支軸とカラーとの間でがたつきが少なくそれらを滑らかに回転させることができ、また軽量化が図れ、しかもカラーとハンドルノブとの間であらゆる方向のずれが生じにくいので、耐久性の面においても優れる。
【図面の簡単な説明】
【００１７】
【図１】本発明の第１実施形態の魚釣用リールのハンドルを備えるリールを示す側面図である。
【図２】本発明の第１実施形態の魚釣用リールのハンドルを備えるリールを示す一部を断面した正面図である。
【図３】本発明の第１実施形態の魚釣用リールのハンドルの要部を示す図１のIII―III線に沿う断面図である。
【図４】図３のIV―IV線に沿う断面図である。
【図５】本発明の第１実施形態の魚釣用リールのハンドルの要部を示す図４のV−V線に沿う断面図である。
【図６】図５のVI―VI線に沿う断面図である。
【図７】図４の要部の拡大図である。
【図８】図６の要部において異なった角度から見た拡大図である。
【図９】本発明の第１実施形態の魚釣用リールのハンドルで用いられるカラーを示すもので、（ａ）は左側面図、（ｂ）は正面図、（ｃ）は右側面図である。
【図１０】本発明の第１実施形態の魚釣用リールのハンドルの組立手順を示すもので、（ａ）〜（ｅ）はそれぞれ正面図である。
【図１１】本発明の第２実施形態の魚釣用リールのハンドルの要部を示す断面図である。
【図１２】図１１のＸII―ＸII 線に沿う断面図である。
【図１３】本発明の第２実施形態の魚釣用リールのハンドルの要部を示す図１２のXIII−XIII 線に沿う断面図である。
【図１４】図１３のXIV―XIV 線に沿う断面図である。
【図１５】図１２の要部の拡大図である。
【図１６】図１４の要部において異なった角度から見た拡大図である。
【図１７】本発明の第２実施形態の魚釣用リールのハンドルで用いられるカラーを示すもので、（ａ）は左側面図、（ｂ）は正面図、（ｃ）は右側面図である。
【図１８】本発明の第３実施形態の魚釣用リールのハンドルの要部を示す断面図である。
【図１９】図１８のXIX―XIX 線に沿う断面図である。
【図２０】本発明の第３実施形態の魚釣用リールのハンドルの要部を示す図１９のＸX―ＸＸ線に沿う断面図である。
【図２１】図２０のＸＸI−ＸＸI線に沿う断面図である。
【図２２】本発明の第３実施形態の魚釣用リールのハンドルで用いられるカラーを示すもので、（ａ）は左側面図、（ｂ）は正面図、（ｃ）は右側面図である。
【図２３】本発明の第４実施形態の魚釣用リールのハンドルで用いられるカラーを示すもので、（ａ）は左側面図、（ｂ）は正面図、（ｃ）は右側面図である。
【発明を実施するための形態】
【００１８】
＜第１実施形態＞
本発明の魚釣用リールのハンドルの第１実施形態を図１〜図１０に基づいて説明する。
図１は本発明の第１実施形態の魚釣用リールのハンドルを備えるリールを示す側面図、図２は本発明の第１実施形態の魚釣用リールのハンドルを備えるリールを示す一部を断面した正面図である。
図１に示すように、本発明の魚釣用リールのハンドルを備える魚釣用スピニングリール１は、リール本体２と、リール本体２の前方に回転可能に配設されたロータ３と、ロータ３の回転運動と同期して前後動可能に配設されたスプール４とを有する。リール本体２は、側方へ延出する脚部５の端部に設けられた竿取付部５aを介して図示せぬ釣竿に取り付けられる。また、リール本体２にはロータ３を巻き取り駆動するための図示せぬ駆動機構が設けられ、この駆動機構には本発明に係る魚釣用リールのハンドル１０が組みつけられる。
【００１９】
図３は本発明の第１実施形態の魚釣用リールのハンドルの要部を示す図１のIII―III線に沿う断面図、図４は図３のIV―IV線に沿う断面図、図５は本発明の第１実施形態の魚釣用リールのハンドルの要部を示す図４のV−V線に沿う断面図、図６は図５のVI―VI線に沿う断面図、図７は図４の要部の拡大図、図８は図６の要部において異なった角度から見た拡大図、図９は本発明の第１実施形態の魚釣用リールのハンドルで用いられるカラーを示すもので、（ａ）は左側面図、（ｂ）は正面図、（ｃ）は右側面図である。
図２、図３にも示すように、ハンドル１０は、駆動機構に組みつけられる図示せぬハンドル軸と、ハンドル軸の先端に取り付けられたハンドルアーム１１と、ハンドルアーム１１の先端に取り付けられた支軸１２と、支軸１２の外周側に回転自在に取り付けられた筒状でかつ射出成形に作られたカラー１３と、カラー１３の外周に嵌着された弾性材からなるハンドルノブ１４を備える。
【００２０】
ハンドルアーム１１は、ハンドル軸に取り付けられる基部側から他側である先端に向けて漸次径が小さくなるように形成されている。ハンドルアーム１１の先端には半球部１５が設けられ、この半球部１５には貫通孔１５ａが形成されている。
【００２１】
支軸１２は、中間部１２ａと、中間部の先端側に設けられて中間部１２ａよりも小径とされた先端小径部１２ｂと、中間部１２ａの基端側に設けられて中間部１２ａよりも大径とされた頭部１２ｃとを備える。先端小径部１２ｂが前記貫通孔１５ａに挿通され、半球部１５から外方へ突出した先端部にワッシャ１６が嵌合され、このワッシャ１６が嵌合された箇所よりもさらに先端側をかしめられることにより、前記支軸１２がハンドルアーム１１に抜け止めされた状態で取り付けられる。
【００２２】
図９にも示すように、カラー１３は、樹脂材を射出成形されることにより作られるものであって、全体が円筒状に形成されていて、その一端（図３において右端）にはつば部１３ａが形成されている。径方向中央に形成された貫通孔１７は、図３において左側の小径部１７ａと、図３において小径部１７ａの右側に形成されかつ小径部１７ａよりも大径とされた大径部１７ｂとからなる。小径部１７ａの先端側は大径の開口部１７ａａが設けられ、その端面は前記半球部１５に対して相対回転可能な滑り面となっている。カラーの小径部１７ａには前記支軸１２の中間部１２ａが挿通され、また、大径部１７ｂには支軸１２の頭部１２ｃが挿通される。また、頭部１２ｃの中間部１２ａ側は、カラーの小径部１７ａと大径部１７ｂとの間の段部に係合する。
【００２３】
カラー１３の外周には、凹部２０が周方向に等間隔をあけて複数形成されて凹部群２１が形成されている、凹部群２１は、カラー１３の軸線方向に沿って複数列形成されている。凹部２０は、寸法精度が要求される小径部１７ａに対応する外周部分にのみ形成されている。大径部１７ｂに対応する外周部分には、リング溝２３が、カラー１３の軸線方向に間隔をあけて２つ形成されている。
【００２４】
凹部２０は開口側からみて長方形状に形成されている。凹部２０は、この凹部内側壁の一面がカラー１３の軸線方向に沿って延びるとともに凹部内側壁の他面がカラー１３の軸線方向に直交する方向に沿って延びて形成されている。つまり、長方形状に形成された凹部２０は、長辺側及び短辺側がそれぞれカラー１３の軸線方向及び半径方向にそれぞれ延びるように、カラー１３の外周に位置決めされて形成されている。
加えて、ここでは、凹部２０は、ハンドルノブ１４の肉厚が厚い部位に対応する部分に対し、ハンドルノブ１４の肉厚が薄い部位に対応する部分の方が数多く形成されている。これは、ハンドルノブ１４自体が弾性を有するため、肉厚の厚い部位では厚み方向での変形することが荷重を緩和することとなり、ハンドルノブ１４とカラー１３間の剪断負荷は小さくなる。これに対し、肉厚の薄い部位では、変形量が少ないため、ハンドルノブ１４とカラー１３間の剪断負荷は大になるためである。
このようにハンドルノブ１４の肉厚が薄い部位に対応する部分では、剪断負荷が大になるのに対応して、凹部２０の数を多くしてている。
【００２５】
そして、隣接する凹部同士の間には板状の隔壁２５が形成されている。これら板状の隔壁２５のうち、周方向に隣接する凹部同士の間の隔壁２５ａ、つまり、カラー１３の軸線方向に平行となる隔壁２５ａは、図４及び図６に示すように、互いに平行となって図４において左右双方の外方へそれぞれ延びるように形成され、また、カラー１３の軸線方向に隣接する凹部同士の間の隔壁２５ｂは、図５に示すように、互いに平行となってカラー１３の半径方向へ延びるように形成されている。
【００２６】
ここで、図８に示すように、周方向に隣接する凹部同士の間の隔壁２５ａのうち、カラーの直径部分から側方へずれた位置にある隔壁２５ａ、例えば直径部分にある隔壁から側方へ一段ずれた位置にある隔壁２５ａａでは、この隔壁２５ａａと隔壁２５ａの外表面の周方向接線Ｌａとのなす角度θａが鈍角（例えば１１１°）になっている。
【００２７】
また、図７に示すように、板状の隔壁２５（２５ａ、２５ｂ）の厚さｔａと凹部２０の底部の厚さｔｂが略同じになるように設定されている。具体的には、板状の隔壁２５（２５ａ、２５ｂ）の厚さｔａと凹部２０の底部の厚さｔｂとの比が０．７〜１．３の範囲になるように設定されている。
また、図９においてＺａ、Ｚｂにそれぞれ示すように、カラー１３の両端部の外径は他の部分の外径に比べて若干大きな値に設定されていて、ハンドルノブ１４との嵌着強度が高められるようになっている。
【００２８】
ハンドルノブ１４は、操作者の手に握り易いように、一端側が小径とされ、そこから他端側に向かうに従い漸次径が大になるように膨らみ、その後さらに他端側に向かうに従い逆に漸次径が小さくなるように形成されている。そして、このハンドルノブ１４は、小径とされた一端側がハンドルアーム１１側に対向するように、内側の貫通孔１４ａを介してカラー１３の外周に嵌着され、この状態で前記カラー１３の大径部１７ｂ内にキャップ２７が挿入して固定されることにより、カラー１３からの抜け止めがなされている。
なお、ハンドルノブ１４は、適宜弾性を有する材料、例えばコルク、エラストマ−、発泡材等から作られる。
【００２９】
次、前記構成の魚釣用リールのハンドルの組立方法について説明する。
図１０は前記魚釣用リールのハンドル１０の組立手順を示すものである。図１０（ａ）に示すように、まず、ハンドルノブ１４の貫通孔１４ａ内に、カラー１３をつば部１３ａとは逆側から圧入して固定する。このとき、必要に応じて接着剤を用いてもよい。接着剤を用いる場合には、ハンドルノブ１４の内周面あるいはカラー１３の外周面に塗布した接着剤が、圧入時にしごかれて、カラー１３の外周上をつば１３ａ側へ移動し、リング溝２３内に流れ込む。そして、リング溝２３内に流れ込んだ接着剤がそのまま固着すると、この固着した部分がアンカーとして機能するので、ハンドルノブ１４がカラー１３から抜け出る方向へ移動するのを防止できる。
【００３０】
次いで、図１０（ｂ）に示すように、ハンドルノブ１４内に嵌着したカラー１３のつば部１３ａ側から支軸１２を挿入し、この支軸１２の頭部１２ｃを、カラーの小径部１７ａと大径部１７ｂとの間の段部に係合させるとともに、支軸の小径部１２ｂの先端をカラー１３から突出させる。この突出させた支軸の先端小径部１２ｂを、さらにハンドルアーム１１の半球部１５の貫通孔１５ａ内に挿入する（図１０（ｃ）参照）。そして、半球部の貫通孔１５ａから突出させた先端小径部１２ｂにワッシャ１６を嵌合させ、このワッシャ１６を嵌合させた箇所よりもさらに先端側の先端小径部１２ｂをかしめる（図１０（ｄ）参照）。これにより、支軸１２をハンドルアーム１１に対し抜け止めした状態で取り付ける。
【００３１】
次に、図１０（ｄ）に示すように、キャップ２７をカラー１３の貫通孔の大径部１７ｂ内に圧入する。これにより、カラー１３の貫通孔１７を塞ぐとともに、カラー１３の端部を拡径するように変形させてハンドルノブ１４との嵌着強度を高める（図１０（ｅ）参照）。
なお、キャップ２７をカラーの貫通孔１７内へ固着させる方法としては、圧入の他、ネジ式、接着剤あるいは、圧入と接着剤を組み合わせたものを用いても良い。
【００３２】
次に、前記構成の魚釣用リールのハンドルの作用について説明する。
操作者が図示せぬハンドル軸を中心にハンドルノブ１４を回転させると、ハンドルノブ１４とともにカラー１３が回転する。このとき、カラー１３は支軸１２の外周を滑りながら回転する。ハンドルノブ１４の回転が、支軸１２を介してハンドルアーム１１に伝わり、このハンドルアームからさらに図示せぬハンドル軸に伝わる。これにより、リール本体２内の図示せぬ駆動機構を回転作動させることができる。
【００３３】
ここで、前記構成の魚釣用リールのハンドル１０によれば、カラー１３の外周に凹部２０を周方向に間隔をあけて複数形成しているので、凹部同士の間の隔壁２５がリブとして作用することとなり、強度を確保した上でカラー１３の肉厚を薄くできる。このため、カラー１３について軽量化が図れる。また、肉厚を薄くすることで、成形後の熱収縮によるカラー１３の変形を抑えることができ、もってカラー１３の内径及び外径の寸法精度を確保できる。そして、カラー１３の内径寸法の精度が向上することにより、支軸１２に対するカラー１３の回転性能が向上する。つまり、支軸１２とカラー１３との間でがたつきが少なくそれらを滑らかに相対回転することができる。また、カラー１３の外径寸法の精度が向上することにより、ハンドルノブ１４とカラー１３の嵌合が安定し、両者間にずれ（滑り）が発生しにくくなる。
【００３４】
また同時に、弾性材からなるハンドルノブ１４の内面のカラー１３との接触部分の一部が、カラー１３の外周に形成した凹部２０に張り出して食い込むこととなり、この点においても、カラー１３の回転方向及び軸線方向双方において、ハンドルノブ１４とカラー１３との間にずれ（滑り）が発生しにくくなる。
【００３５】
また、カラー１３には、凹部２０を周方向に間隔をあけて複数形成された凹部群２１が、カラー１３の軸線方向に複数列形成されているため、カラー１３のより軽量化が図れる。また、カラーにおいては凹部群２１が形成された広範囲に亘る部分で肉厚を薄くすることができ、もって、成形後の熱収縮によるカラーの変形をより一層抑えることができる。
【００３６】
また、カラー１３は、周方向に隣接する凹部同士の間に形成される板状の隔壁２５ａが互いに平行に延びて形成されているため、このカラー１３を射出成形により成形する際には、２つ割構造の金型を用いることができ、３つ割り以上の複雑な金型を用いる場合に比べて、金型の構成が簡単になる。
【００３７】
また、前記カラー１３においては、周方向に隣接する凹部同士の間に形成される板状の隔壁２５ａとこの隔壁２５ａの外表面の周方向接線Ｌａとのなす角度θａが鈍角となるので、弾性材からなるハンドルノブ１４の内面の一部が凹部２０内に張り出して食い込む際に、図８に示すように、隔壁の角部Ｘがハンドルノブ１４の内面に対して鋭角θｂをもって食い込むこととなり、カラー１３とハンドルノブ１４の回転方向のずれをより確実に防止できる。
加えて、この隔壁の角部Ｘがハンドルノブ１４の内面に対して鋭角θｂをもって食い込む現象は、カラー１３の中心を境に左右対称に見られるので、図８において時計方向及び反時計方向のいずれの回転方向に対してもカラー１３とハンドルノブ１４のずれを防止できる。
【００３８】
また、凹部２０は開口側からみて４角形に形成され、しかも、凹部２０は、この凹部の内側壁の一面がカラー１３の軸線方向に沿って延びるとともに内側壁の他面がカラー１３の軸線方向に直交する方向に沿って延びて形成されており、このため、カラー１３とハンドルノブ１４との接触部分において、カラー１３の軸線方向並びに周方向の相対的なずれ力が、凹部の内側壁の一面あるいは他面にそれぞれ直交して作用することとなり、結果的にハンドルノブ１４に対するカラー１３の軸線方向並びに周方向のずれを確実に防止できる。
【００３９】
また、隣接する凹部２０同士の間には板状の隔壁２５がそれぞれ形成され、これら板状の隔壁２５の厚さｔａと凹部の底部の厚さｔｂの比を０．７〜１．３の範囲に設定しており、このように板状の隔壁２５の厚さｔａと凹部の底部の厚さｔｂとを略同じ値に設定しているので、成形後の熱収縮のときにカラーの周方向及び軸線方向への変形量がほぼ均等になり、変形後の寸法管理が容易になる。
【００４０】
＜第２実施形態＞
本発明の魚釣用リールのハンドルの第２実施形態を図１１〜図１７に基づいて説明する。なお、説明の便宜上、第１実施形態で説明した構成要素と同一の構成要素については同一符号を付してその説明を省略する。これは、以下の第３実施形態および第４実施形態についても同様である。
図１１は魚釣用リールのハンドルの要部を示す断面図、図１２は図１１のＸII―ＸII 線に沿う断面図、図１３は魚釣用リールのハンドルの要部を示す図１２のXIII−XIII 線に沿う断面図、図１４は図１３のXIV―XIV 線に沿う断面図、図１５は図１２の要部の拡大図、図１６は図１４の要部において異なった角度から見た拡大図、図１７は魚釣用リールのハンドルで用いられるカラーを示すもので、（ａ）は左側面図、（ｂ）は正面図、（ｃ）は右側面図である。
【００４１】
この第２実施形態が前述の第１実施形態と異なるところは、カラー３０の外周に形成する凹部４０の形状である。
すなわち、この第２実施形態においては、カラー３０の外周に、凹部４０が周方向に等間隔をあけて複数形成されて凹部群４１が形成され、凹部群４１がカラー３０の軸線方向に沿って複数列形成されている。また、凹部４０は開口側からみて長方形状に形成されている。さらに凹部４０は、この凹部の内側壁の一面がカラー３０の軸線方向に沿って延びるとともに凹部の内側壁の他面がカラー３０の軸線方向に直交する方向に沿って延びて形成されている。これらの点は前述した第１実施形態と同様である。
【００４２】
この第２実施形態では、カラー３０の外周に設けられる凹部４０が、開口をカラーの中心軸線から放射方向を向くように形成されている。このため、隣接する凹部４０同士の間には板状の隔壁４２が形成されており、これら板状の隔壁４２のうち、周方向に隣接する凹部同士の間の隔壁４２ａ、つまり、カラー３０の軸線方向に平行となる隔壁４２ａは、図１２及び図１４に示すように、カラーの中心軸線から放射方向を向くように形成されている。また、カラー３０の軸線方向に隣接する凹部同士の間の隔壁４２ｂは、図１３に示すように、互いに平行となってカラーの半径方向へ延びるように形成されている。
【００４３】
ここで、図１６に示すように、周方向に隣接する凹部同士の間の隔壁４２ａは、この隔壁４０ａと隔壁４０ａの外表面の周方向接線Ｌｂとのなす角度θｃが略直角になっている。ここで言う略直角とは、隔壁４２ａがカラー３０の中心から放射状に配置される結果、前述のように隔壁４０ａと隔壁４０ａの外表面の周方向接線Ｌｂとのなす角度θｃとして表れる角度をいい、具体的には、製作誤差や隔壁４０ａの厚みも考慮して９０°±１５°の範囲であることをいう。ちなみに、図１６に示す例では角度θｃは８４°に設定されている。
【００４４】
また、凹部４０の深さは、支軸１２に外嵌される部分の深さが深く、支軸１２に外嵌されない部分の深さが浅くなっている（図１３参照）。これは、支軸１２に外嵌される部分は内径の寸法精度が高く要求されるため、凹部４０の底部の厚さｔｂを隔壁の厚さｔａと同程度に設定したためであり、支軸１２に外嵌されない部分はさほど高い寸法精度を要求されないため、強度を優先したためである。
なお、図１５に示すように、カラー３０の支軸１２に外嵌される部分においては、板状の隔壁４２（４２ａ、４２ｂ）の厚さｔａと凹部４０の底部の厚さｔｂが略同じになるよう、それらの比が０．７〜１．３の範囲になるように設定されている点は第１実施形態と同様である。
【００４５】
この第２実施形態の魚釣用リールのハンドルによれば、カラー３０の外周において、周方向に隣接する凹部４０同士の間に形成される板状の隔壁４２ａが、カラー３０の中心から放射状に延びるように形成されているから、ハンドルノブ１４の内周面に対して周方向へバランスよく接触することとなる。このため、ハンドルを回転操作する際に、ハンドルノブ１４からカラー３０側へ周方向いずれの方向から回転力が付与される場合であっても、カラー３０に対して略同じ条件下で回転力を付与することができ、この点でハンドルノブ１４及びカラー３０を支軸１２に対して滑らかに回転することができる。
【００４６】
また、周方向に隣接する凹部４０同士の間に形成される板状の隔壁４２ａとこの隔壁の外表面の周方向接線Ｌｂとのなす角度θｃが略直角となるように設定しており、この場合、図１６に示すように、弾性材からなるハンドルノブ１４の内面の一部が凹部４０内に張り出して食い込む際に、隔壁４２ａの角部はハンドルノブの内面に対して略直角に食い込むこととなり、カラー３０とハンドルノブ１４との間の時計方向・反時計方向いずれの回転方向のずれも確実に防止できる。
【００４７】
＜第３実施形態＞
本発明の魚釣用リールのハンドルの第３実施形態を図１８〜図１２に基づいて説明する。図１８は魚釣用リールのハンドルの要部を示す断面図、図１９は図１８のXIX―XIX 線に沿う断面図、図２０は魚釣用リールのハンドルの要部を示す図１９のＸX―ＸＸ線に沿う断面図、２１は図２０のＸＸI−ＸＸI線に沿う断面図、図２２は魚釣用リールのハンドルで用いられるカラーを示すもので、（ａ）は左側面図、（ｂ）は正面図、（ｃ）は右側面図である。
【００４８】
この第３実施形態が前述の第１実施形態と異なるところは、カラー５０の外周に形成する凹部６０の形状である。
すなわち、この第３実施形態においては、カラー５０の外周に形成される凹部６０の形状は、開口側かみて円形状とされている。なお、この実施形態においても、凹部６０が周方向に等間隔をあけて複数形成されることにより凹部群６１が形成され、この凹部群６１がカラー５０の軸線方向に沿って複数列形成されている点は、前述した第１実施形態と同様である。
【００４９】
この第２実施形態では、カラー５０の外周に設けられる凹部６０が、開口をカラー５０の中心軸線から放射方向を向くように形成されている。このため、隣接する凹部６０同士の間には隔壁６２が形成されており、これら隔壁６２のうち、周方向に隣接する凹部同士の間の隔壁６２ａ、つまり、カラー５０の軸線方向に平行となる隔壁６２ａは、図１９及び図２１に示すように、カラーの中心軸線から放射方向を向くように形成されている。また、カラー５０の軸線方向に隣接する凹部６０同士の間の隔壁６２ｂは、図２０に示すように、互いに平行となってカラー５０の半径方向へ延びるように形成されている。
また、凹部６０の深さは、支軸１２に外嵌される部分の深さが深く、支軸１２に外嵌されない部分の深さが浅くなっている。この点は前述の第２実施形態と同様である。
【００５０】
この第３実施形態の魚釣用リールのハンドルによれば、カラー５０の外周に形成される凹部６０の形状が開口側からみて円形状とされており、この場合、凹部を多角形に形成するのに比べ、カラー５０を射出成形にて加工した後、金型から離脱させる際に引っかかりが少なくなるため、良好な離型性が確保できる。
なお、ここでは、カラー５０の外周に形成される凹部６０の形状を開口側からみて円形状としたが、これに限られることなく、開口側からみて楕円状であっても、あるいは卵状の略楕円状であっても良い。
【００５１】
＜第４実施形態＞
本発明の魚釣用リールのハンドルの第４実施形態を図２３に基づいて説明する。図２３は魚釣用リールのハンドルで用いられるカラーを示すもので、（ａ）は左側面図、（ｂ）は正面図、（ｃ）は右側面図である。
【００５２】
この第４実施形態が前述の第３実施形態と異なるところは、カラー７０の外周に形成する凹部６０の形状である。
すなわち、この第４実施形態においては、カラー７０の外周に形成される凹部８０の形状は、開口側かみて正６角形状とされ、かつ、凹部８０同士が密となるようにハニカム状とされている。
なお、この実施形態では、凹部８０が周方向に等間隔をあけて複数形成されることにより凹部群８１が形成され、この凹部群８１がカラー７０の軸線方向に沿って複数列形成されている点、並びに、支軸１２に外嵌される部分の凹部６０の深さが深く、支軸１２に外嵌されない部分の凹部６０の深さが浅くなっているが、これらの点は、前述した第３実施形態と同様である。
【００５３】
この第４実施形態の魚釣用リールのハンドルによれば、カラー７０の外周に形成される凹部８０の形状が開口側からみて正６角形状とされており、この場合、弾性材からなるハンドルノブ１４の内面の一部が凹部８０内に張り出して食い込む際に、ハンドルノブ１４の内面の一部が角部を有して凹部８０に食い込むこととなり、カラー７０とハンドルノブ１４のずれをより確実に防止できる。
なお、ここでは、カラー７０の外周に形成される凹部８０の形状を開口側からみて正６角形状としたが、これに限られることなく、開口側からみてカラー７０の軸線方向に長い横長の６角形状であってもよく、さらに６角形以外の多角形状であっても良い。
【００５４】
以上、本発明の実施形態について図面を参照して詳述したが、本発明は、この実施形態に限られるものではなく、本発明の要旨を逸脱しない範囲で適宜設計変更可能である。
例えば、前述の実施形態では、スピニングリールを例に挙げて、本発明に係る魚釣用リールのハンドルを説明したが、これに限られることなく、両軸リールであっても、本発明に係る魚釣用リールのハンドルは適用可能である。
【００５５】
また、前述した実施形態では、カラーの外周に、凹部を周方向に等間隔をあけて複数形成してなる凹部群を多数列形成しているが、これに限られることなく、凹部群は１列であってもよい。
また、前述した実施形態では、カラーの外周に凹部を周方向に等間隔をあけて配置しているが、これに限られることなく、互いの間隔を変えて配置しても良い。
【００５６】
また、前述の実施形態では、カラーとして樹脂材の射出成形品からなるものを例に挙げて説明したが、これに限られることなく、カラーは、アルミニウム等の金属材の射出成形品（鋳造成形品）により作成してもよい。
【符号の説明】
【００５７】
１  魚釣用スピニングリール、
２  リール本体、
５  脚部
１０  ハンドル、
１１  ハンドルアーム、
１２  支軸、
１３、３０、５０，７０  カラー、
１４  ハンドルノブ
１７  貫通孔
２０、４０，６０，８０  凹部
２１、４１，６１、８１  凹部群
２３  リング溝
２５、２５ａ、２５ｂ、４２、４２ａ、４２ｂ、６２、６２ａ、６２ｂ、８２、８２ａ、８２ｂ  隔壁
【図１】
2011125269.tif 000003
【図２】
2011125269.tif 000004
【図３】
2011125269.tif 000005
【図４】
2011125269.tif 000006
【図５】
2011125269.tif 000007
【図６】
2011125269.tif 000008
【図７】
2011125269.tif 000009
【図８】
2011125269.tif 000010
【図９】
2011125269.tif 000011
【図１０】
2011125269.tif 000012
【図１１】
2011125269.tif 000013
【図１２】
2011125269.tif 000014
【図１３】
2011125269.tif 000015
【図１４】
2011125269.tif 000016
【図１５】
2011125269.tif 000017
【図１６】
2011125269.tif 000018
【図１７】
2011125269.tif 000019
【図１８】
2011125269.tif 000020
【図１９】
2011125269.tif 000021
【図２０】
2011125269.tif 000022
【図２１】
2011125269.tif 000023
【図２２】
2011125269.tif 000024
【図２３】
2011125269.tif 000025